(57)【特許請求の範囲】
【請求項１】
ベッドフレームと、
固定床部及びこの固定床部の一側に順次回動可能に連結された第１乃至第３の脚床部を有し、上記ベッドフレームに上記固定床部を固定して設けられた床板体と、
上記第２の脚床部の下面にこの第２の脚床部と一体的に設けられた連動部材と、
先端部が上記連動部材の下面に移動可能に当接する脚上げアームと、
回転駆動される駆動軸を有しこの駆動軸に上記脚上げアームの基端が連結固定され上記駆動軸の回転によって上記脚上げアームを起伏駆動する起伏用駆動機構と、
上記連動部材に一端が回動可能に連結された切換え部材と、
この切換え部材の他端に設けられ該切換え部材を回動させることで上記脚上げアームの先端部に係脱し係合状態において上記脚上げアームを起上方向に回動させたときに上記脚上げアームの先端部が上記連動部材の下面に沿って移動するのを阻止する係合部と、
上記切換え部材を回動操作するとともに上記係合部が上記脚上げアームの先端部に係合した状態で上記切換え部材を回動不能に保持する操作部材とを具備し、
上記脚上げアームの先端部が上記連動部材に対して移動不能な状態で上記脚上げアームを起立方向に回動させたときは上記第２の脚床部を上記第１の脚床部に対して下方へ屈曲させ、上記脚上げアームの先端部が上記連動部材に対して移動可能な状態で上記脚上げアームを起立方向に回動させたときは上記第２の脚床部を上記第１の脚床部に対して屈曲不能に保持するとともに上記第３の脚床部を上記第２の脚床部に対して下方へ屈曲させることを特徴とする起床式ベッド装置。
【請求項２】
上記駆動軸には第１の保持リンクの一端が回動可能に連結され、この第１の保持リンクの他端には第２の保持リンクの一端が回動可能に連結され、この第２の保持リンクの他端は上記連動部材に回動可能に連結されていることを特徴とする請求項１記載の起床式ベッド装置。
【請求項３】
上記第２の保持リンクの中途部に一端を固定して設けられた保持部材と、
上記切換え部材の中途部に設けられこの切換え部材の係合部を上記脚上げアームの先端部から外した状態で上記保持部材の他端に係合し、その状態で上記脚上げアームを起上方向に回動させて上記脚上げアームの先端部を上記連動部材に沿って所定の位置まで移動させたときに、この脚上げアームとで上記切換え部材を回動不能に保持して上記連動部材が上記第２の脚部材とともに上記第１の脚部材に対して回動するのを阻止する係合軸と、
を具備したことを特徴とする請求項１記載の起床式ベッド装置。
【請求項４】
上記連動部材に上記操作部材の一端を回動可能に支持した支軸と、
上記操作部材の他端部に形成された直線部と屈曲部とを有するガイド溝と、
上記切換え部材の中途部に設けられ上記ガイド溝にスライド可能に係合し上記操作部材を回動させることでこの回動に上記切換え部材を連動させるガイド軸と、
上記操作部材を弾性的に付勢しこの操作部材の回動操作に上記切換え部材を連動させて上記ガイド軸を上記ガイド溝の屈曲部に係合させることで上記係合部を上記脚上げアームの先端部に係合させたときに上記切換え部材を弾性的に回動不能に保持する付勢手段と、
を具備したことを特徴とする請求項１記載の起床式ベッド装置。
【発明の詳細な説明】
【０００１】
【発明の属する技術分野】
この発明は床板体を複数の床部に分割し、起伏用駆動機構によって起伏させることができるようにした起床式ベッド装置に関する。
【０００２】
【従来の技術】
病人や老人などのように、自力で起き上がることができない利用者には、床板の一部を起伏駆動することができるようにした、いわゆる起床式ベッド装置が利用されている。起床式ベッド装置はベッドフレームを有し、このベッドフレームには床板体が設けられている。
【０００３】
上記床板体は複数の床部に分割されていて、そのうちの１つをベッドフレームに固定し、他の床部をベッドフレームに設けられた起伏用駆動機構によって起伏駆動させるようになっている。
【０００４】
上記床板体は、利用者の上半身を起こすための背床部の他に、複数の脚床部を有する。複数の脚床部はほぼへの字状に屈曲される。それによって、利用者が上半身を起こしたときに、脚部が屈曲されるから、臀部が前方にずれ動くのが阻止され、上半身を起こした姿勢を楽に維持することが可能となる。
【０００５】
上記複数の脚床部がへの字状に屈曲したとき、その屈曲部が利用者の膝の裏側に位置していれば、利用者の脚部を安定した屈曲状態で確実に保持することができる。
【０００６】
しかしながら、利用者には身長や体格に個体差がある。そのため、複数の脚床部を常に一定の位置で屈曲させるようにしたのでは、その屈曲部が利用者の脚の膝の裏側の位置から前後方向にずれてしまうことがある。
【０００７】
そのような場合、利用者の脚部のたとえば太腿の部分や脹脛の部分が脚床部の屈曲部によって不要に圧迫されることがあるから、利用者は上半身を起こした姿勢を維持することに苦痛を感じることがある。
【０００８】
そこで、本件出願人は特願２０００−２２９２１３号に示す起床式ベッド装置を提案した。この起床式ベッド装置は、ベッドフレームに固定される固定床部の一側に、第１の脚床部、調整床部及び第２の脚床部を順次回動可能に連結し、上記調整床部の幅方向両端部にはそれぞれ移動軸をスライド可能に設ける。この移動軸には操作部材を連結し、この操作部材によって上記移動軸をスライドさせることで、操作軸の一端部を第１の脚床部に係合させたり、他端部を第２の係合部に係合させることができるようにしている。
【０００９】
上記移動軸をスライドさせて一端部を第１の脚床部に係合させれば、上記調整床部が第１の脚床部と一体となるから、調整床部に対して第２の脚床部が屈曲する。上記移動軸をスライドさせて他端部を第２の脚床部に係合させれば、調整床部と第２の脚床部とが一体となるから、第１の脚床部に対して調整床部と第２の脚床部とが一体に屈曲する。
【００１０】
したがって、上記移動軸をスライド操作することで、床板体の屈曲位置を、利用者の身長や体格等の個体差に応じて変えることができる。
【００１１】
【発明が解決しようとする課題】
ところで、従来の起床式ベッド装置においては、調整床板の幅方向両端部に設けられた一対の移動軸をそれぞれスライドさせることで、床板体の屈曲位置を調整する構成となっている。
【００１２】
そのため、床板体の屈曲位置を変えるためには、床板体の幅方向一端部に設けられた移動軸と、他端部に設けられた移動軸とをそれぞれスライド操作しなければならないから、操作性が悪いということがあったり、床板体の幅方向一端部と他端部との移動軸のスライド位置が異なる状態で床板体を屈曲させてしまう虞もあった。
【００１３】
この発明は、床板体の屈曲位置の切換え操作を容易に、しかも確実に行うことができるようにした起床式ベッド装置を提供することにある。
【００１４】
【課題を解決するための手段】
請求項１の発明は、ベッドフレームと、
固定床部及びこの固定床部の一側に順次回動可能に連結された第１乃至第３の脚床部を有し、上記ベッドフレームに上記固定床部を固定して設けられた床板体と、
上記第２の脚床部の下面にこの第２の脚床部と一体的に設けられた連動部材と、
先端部が上記連動部材の下面に移動可能に当接する脚上げアームと、
回転駆動される駆動軸を有しこの駆動軸に上記脚上げアームの基端が連結固定され上記駆動軸の回転によって上記脚上げアームを起伏駆動する起伏用駆動機構と、
上記連動部材に一端が回動可能に連結された切換え部材と、
この切換え部材の他端に設けられ該切換え部材を回動させることで上記脚上げアームの先端部に係脱し係合状態において上記脚上げアームを起上方向に回動させたときに上記脚上げアームの先端部が上記連動部材の下面に沿って移動するのを阻止する係合部と、
上記切換え部材を回動操作するとともに上記係合部が上記脚上げアームの先端部に係合した状態で上記切換え部材を回動不能に保持する操作部材とを具備し、上記脚上げアームの先端部が上記連動部材に対して移動不能な状態で上記脚上げアームを起立方向に回動させたときは上記第２の脚床部を上記第１の脚床部に対して下方へ屈曲させ、上記脚上げアームの先端部が上記連動部材に対して移動可能な状態で上記脚上げアームを起立方向に回動させたときは上記第２の脚床部を上記第１の脚床部に対して屈曲不能に保持するとともに上記第３の脚床部を上記第２の脚床部に対して下方へ屈曲させることを特徴とする起床式ベッド装置にある。
【００１５】
請求項２の発明は、上記駆動軸には第１の保持リンクの一端が回動可能に連結され、この第１の保持リンクの他端には第２の保持リンクの一端が回動可能に連結され、この第２の保持リンクの他端は上記連動部材に回動可能に連結されていることを特徴とする請求項１記載の起床式ベッド装置にある。
【００１６】
請求項３の発明は、上記第２の保持リンクの中途部に一端を固定して設けられた保持部材と、
上記切換え部材の中途部に設けられこの切換え部材の係合部を上記脚上げアームの先端部から外した状態で上記保持部材の他端に係合し、その状態で上記脚上げアームを起上方向に回動させて上記脚上げアームの先端部を上記連動部材に沿って所定の位置まで移動させたときに、この脚上げアームとで上記切換え部材を回動不能に保持して上記連動部材が上記第２の脚部材とともに上記第１の脚部材に対して回動するのを阻止する係合軸と、
を具備したことを特徴とする請求項１記載の起床式ベッド装置にある。
【００１７】
請求項４の発明は、上記連動部材に上記操作部材の一端を回動可能に支持した支軸と、
上記操作部材の他端部に形成された直線部と屈曲部とを有するガイド溝と、
上記切換え部材の中途部に設けられ上記ガイド溝にスライド可能に係合し上記操作部材を回動させることでこの回動に上記切換え部材を連動させるガイド軸と、
上記操作部材を弾性的に付勢しこの操作部材の回動操作に上記切換え部材を連動させて上記ガイド軸を上記ガイド溝の屈曲部に係合させることで上記係合部を上記脚上げアームの先端部に係合させたときに上記切換え部材を弾性的に回動不能に保持する付勢手段と、
を具備したことを特徴とする請求項１記載の起床式ベッド装置にある。
【００１８】
この発明によれば、操作部材を操作して切換え部材を回動させ、この切換え部材に設けられた係合部を、連動部材に沿って移動可能な脚上げアームの先端部に係脱させることで、床板体の屈曲位置を変えることができるため、その切換え操作を容易に、しかも確実に行うことが可能となる。
【００１９】
【発明の実施の形態】
以下、図面を参照しながらこの発明の一実施の形態を説明する。
【００２０】
図１乃至図１０はこの発明の一実施の形態を示し、図１に示す起床式ベッド装置は矩形枠状のベースフレーム１を備えている。このベースフレーム１の四隅部にはストッパ付きのキャスタ２が設けられ、ベースフレーム１を移動させることが可能となっている。
【００２１】
上記ベースフレーム１の四隅部にはそれぞれ支持部材３が立設され、各支持部材３には上下用アーム４の一端が枢着されている。ベースフレーム１の長手方向一端に位置する一対の上下用アーム４と他端に位置する一対の上下用アーム４との他端はそれぞれ図示しない連結軸によって連結されている。上記一対の連結軸の両端は、ベッドフレーム５の長手方向両端部の両側に垂設されたブラケット６にそれぞれ枢着されている。
【００２２】
上記一対の連結軸の中途部には連動レバー７の一端と他端とが図示しないアームを介して枢着されている。上記連動レバー７の中途部には上下駆動機構８の筒体９に対して進退駆動される駆動軸１０の先端が図示しないアームを介して枢着されている。この上下駆動機構８は一方の連動軸に設けられたアーム１１に枢着されている。
【００２３】
したがって、上記駆動軸１０が上記筒体９に対して進退駆動されれば、上記連動レバー７を介して上下用アーム４が一端を支点として矢印で示す起伏方向に回動するから、上記ベッドフレーム５を上下動させることができるようになっている。
【００２４】
上記ベッドフレーム５の４つの角部にはそれぞれ保持部材１５が設けられている。ベッドフレーム５の長手方向一端と他端とには、それぞれヘッドボードとフットボードとなる端部フレーム１６が着脱可能に立設保持されている。
【００２５】
上記ベッドフレーム５の上面には床板体１７が設けられている。この床板体１７は互いに回動可能に連結された複数の床部に分割されている。すなわち、床板体１７は上記ベッドフレーム５に固定される固定床部１８を有する。この固定床部１８の一側には腰床部１９と背床部２０とが順次回動可能に連結されている。上記固定床部１８の他側には第１の脚床部２１、第２の脚床部２２及び第３の脚床部２３が順次回動可能に連結されている。
【００２６】
各床部１８〜２３は、図６に示すように隣り合う床部に対向する側辺部が対応する凹凸状に形成され、互いの凹凸部分がはまり込んだ状態でこれらの部分が図示せぬ連結軸によって回動可能に連結されている。さらに、各床部１８〜２３には上下面を貫通する通気孔２４が形成されている。なお、床板体１７は合成樹脂によって中空状にブロー成形されている。
【００２７】
図１に示すように、上記ベッドフレーム５には、上記固定床部１８を除く他の床部を起伏駆動する起伏用駆動機構２５が上記床板体１７の下面側に位置するよう設けられている。この起伏用駆動機構２５は筐体２６を有し、この筐体２６の一側には駆動源２７が設けられている。
【００２８】
上記筐体２６の上記腰床部１９の下方に位置する一端部には第１の駆動軸２８が設けられ、上記第１の脚床部２１の下方に位置する他端部には第２の駆動軸２９が設けられている。これら第１、第２の駆動軸２８，２９は上記筐体２６内に設けられた図示しない駆動機構を介して上記駆動源２７により回転駆動されるようになっている。
【００２９】
上記第１の駆動軸２８の両端部には一対の背上げアーム３１（一方のみ図示）の一端が固着され、他端には一対のローラ３２が長手方向に沿って所定間隔で回転可能に設けられている。これらローラ３２は上記背床部２０の下面の幅方向両端部に長手方向に沿って設けられた断面コ字状の図示しないレールに転動可能に係合している。それによって、上記背上げアーム３１が上記第１の駆動軸２８によって起上方向に回動させられると、上記背床部２０が起上し、その起上に腰床部１９が連動するようになっている。
【００３０】
図２乃至図５に示すように、上記第２の駆動軸２８の両端部には、それぞれ脚上げアーム３４の基端部が固着されている。脚上げアーム３４の先端部には図３乃至図５に示すようにローラ３５が回転可能に設けられている。
【００３１】
一対の脚上げアーム３４に設けられた上記ローラ３５は、上記第２の脚床部２２の下面の幅方向全長にわたって設けられた連動部材３６の下面に転動可能に当接している。この連動部材３６は、上記第２の脚床部２２とほぼ同じ長さ寸法に形成されたチャンネル材からなる横部材３７及びこの横部材３７の両端部下面にそれぞれ上面が固着されたチャンネル材からなる端部材３８とを有し、この端部材３８の下面に上記ローラ３５が当接するようになっている。なお、上記端部材３８の長さ寸法は上記第２の脚床部２２の幅寸法とほぼ同じに設定されている。
【００３２】
上記横部材３７の上面には棒材をＬ字状に折曲した複数の係止部材４１が長手方向に所定間隔で一端が固着して設けられている。係止部材４１の他端部は第１の脚床部２１側を向いており、その他端部は図５に示すように第２の脚床部２２の貫通孔２４の内周壁に形成された係合孔（図示せず）に係合している。それによって、上記連動部材３６は係止部材４１を介して上記第２の脚床部２２と着脱可能に連結されている。
【００３３】
図３と図５に示すように、上記端部材３８の第１の脚床部２１側に位置する一端部には切換え部材４２の一端が支軸４３によって枢着されている。この切換え部材４２の先端には帯状の板材を円弧状に曲成した係合部４４が設けられている。この係合部４４は、図９（Ａ）に示すように第２の脚床部２２がほぼ水平に倒伏し、上記ローラ３５が端部材３８の第３の脚床部２３側の端部に当接した状態で、上記切換え部材４２を支軸４３を支点として回動させることで、上記ローラ３５に係合するようになっている。
【００３４】
上記係合部４４が上記ローラ３５に係合した状態で、上記脚上げアーム３４を起上方向に回動させると、上記ローラ３５が上記端部材３８の下面に沿って第１の脚床部２１側へ転動するのが阻止される。
【００３５】
なお、上記係合部４４がローラ３５に係合していない状態で、上記脚上げアーム３４を起上方向に回動させれば、上記ローラ３５が端部材３８の下面に沿って転動することになる。
【００３６】
図２に示すように、上記横部材３７の第３の脚床部２３側を向いた一側面の長手方向両端部にはそれぞれ取付け片４５が固着されている。一対の取付け片４５には連結軸４６の両端部が回動可能に支持されている。
【００３７】
上記連動軸４６の中途部には操作部材４７の一端部が回動可能かつ軸方向にスライド不能に設けられている。この操作部材４７の他端部には直線部４８ａと屈曲部４８ｂとによってＬ字状をなしたガイド溝４８が形成されている。このガイド溝４８にはガイド軸４９が挿通されている。このガイド軸４９の両端はベッドフレーム５の幅方向両端部に設けられた切換え部材４２の中途部に固着されている。
【００３８】
上記連動軸４６の中途部には付勢手段としてのばね５１が装着されている。このばね５１は一端を上記操作部材４７に係合させ、他端を上記横部材３７に係合させて設けられている。それによって、操作部材４７を図５に矢印で示す反時計方向に付勢している。
【００３９】
上記操作部材４７の他端部の一側には操作棒５２が固着されている。この操作棒５２によって上記操作部材４７を図５に矢印で示す方向へ回動させると、ガイド軸４９がガイド溝４８に沿って上昇するから、切換え部材４２がガイド軸４９を介して連動し、支軸４３を支点として反時計方向に回動する。
【００４０】
上記切換え部材４２の先端に設けられた係合部４４が脚上げアーム３４の先端に設けられたローラ３５に係合すると、上記ガイド溝４８の直線部４８ａを上昇したガイド軸４９は屈曲部４８ｂに係合する。その状態で、上記ばね５１の付勢力でガイド軸４９と屈曲部４８ｂとの係合状態が弾性的に保持されることになる。つまり、ローラ３５と、切換え部材４２の係合部４４との係合状態が保持される。
【００４１】
図２と図３に示すように、上記起伏用駆動機構２５の第２の駆動軸２９の両端部の上記脚上げアーム３４よりも外側には、それぞれカラー５４が径方向にがたのある状態で回転可能に外嵌されている。このカラー５４には第１の保持リンク５５の一端が固着されている。
【００４２】
図５に示すように、上記第１の保持リンク５５の他端には長孔５６が形成され、この長孔５６には第２の保持リンク５７の一端がピン５８によって回動可能に連結されている。この第２の保持リンク５５の他端は上記連動部材３６に設けられた連結軸４６の両端部にそれぞれ回動可能に連結されている。
【００４３】
それによって、上記連動部材３６は、第１、第２の保持リンク５５，５７によってベッドフレーム５に保持されている。つまり、連動部材３６は係止部材４１を介して第２の脚床部２２の下面に着脱可能に保持されるが、ベッドフレーム５から床板体１７を取外しても、上記連動部材３６をベッドフレーム５側に保持しておくことが可能となるから、組立て時や修理点検時などに上記連動部材３６の取り扱いが容易となる。
【００４４】
図２と図３に示すように、一対の第２の保持リンク５７の中途部には、それぞれ短軸６１が突設され、この短軸６１にはＬ字状の保持部材６２の一端が固着されている。この保持部材６２の他端には係合凹部６３が形成されている。
【００４５】
図５に示すように、上記切換え部材４２の係合部４４がローラ３５に係合していない状態では、一対の切換え部材４２の中途部に両端を固着した係合軸６４が上記係合凹部６３に係合している。
【００４６】
図７（Ａ）に示すように脚上げアーム３４が倒伏した状態から同図（Ｃ）に示すように起立方向に回動することで、上記ローラ３５が上記横部材３８の下面の一端から他端に沿って転動してくると、上記ローラ３５が上記切換え部材４２の一側に形成された円弧状の凹部６５（図３に示す）に当接する。
【００４７】
それによって、切換え部材４２はローラ３５と保持部材６２とによって挟持固定されるから、この切換え部材４２と保持部材６２を介して連動部材３６の横部材３７が第２の保持リンク５７と一体的に固定される。
【００４８】
そのため、図７（Ｃ）の状態において、第２の脚床部２２の一端部に矢印で示す荷重が加わっても、この第２の脚床部２２が第１の脚床部２１との連結端を支点として下方へ回動するのを阻止するようになっている。
【００４９】
なお、上記床板体１７の上面には図示しないマットレスが載置され、このマットレス上に利用者が仰臥することになる。
【００５０】
つぎに、上記構成の起床式ベッド装置の作用を図７乃至図１０を参照して説明する。
【００５１】
たとえば、床板体１７上に仰臥した利用者が長身で、利用者の膝が第２の脚床部２２と第３の脚床部２３との連結部分の上方に位置する場合には、図７（Ａ）に示すように切換え部材４２の係合部４４を脚上げアーム３４の先端に設けられたローラ３５に係合させずに、起伏用駆動機構２５を作動させて上記脚上げアーム３４を起上させる。
【００５２】
上記脚上げアーム３４を起上させると、図７（Ｂ）、（Ｃ）に示すようにローラ３５が連動部材３６の端部材３８を上方へ押し上げながら、この端部材３８の下面の一端から他端に向かって転動する。
【００５３】
上記切換え部材４２の係合部４４をローラ３５に係合させない状態では、操作部材４７は自重によって回動し、この操作部材４７の中途部に両端が連結されたガイド軸４９はガイド溝４８の直線部４８ａの下端に位置する。そのため、操作部材４７に連結された係合軸６４が保持部材６２の係合凹部６５に係合し、その係合によって連動部材３６がその端部材３８を介して第２の保持リンク５７と一体的になっている。
【００５４】
上記脚上げアーム３４を起上すると、上記ローラ３５が端部材３８の下面に沿って転動しながら連動部材３６を介して第２の脚床部２２を押し上げる。このとき、連動部材３６が保持リンク５７と一体的に保持されていることで、連動部材３６が第１の脚床部２１に対して回動することなく、第２の脚床部２２とともに上昇する。
【００５５】
つまり、第２の脚床部２２は第１の脚床部２１に対して上下方向に屈曲することなく、この第１の脚床部２１ととともに固定床部１８との連結部を支点として起立方向に回動上昇し、第３の脚床部２３は第２の脚床部２２に対して下方へ屈曲することになる。
【００５６】
しかも、脚上げアーム３４の起上に第１の保持リンク５７が連動すると、この第１の保持リンク５７の上端面が第２の脚床部２２の下面に接触するから、そのことによっても、第２の脚床部２２が第１の脚床部２１に対して上下方向に屈曲するのが防止される。
【００５７】
そのため、第２の脚床部２２と第３の脚床部２３との連結部が山形状に屈曲し、その屈曲部が長身の利用者の膝の裏側の部分に位置することになるから、利用者は脚部を第２，第３の脚床部２２，２３の屈曲部によって圧迫されることなく、楽に屈曲させることができる。
【００５８】
図７（Ｃ）に示すように、脚上げアーム３４が上昇限まで回動すると、端部材３８の下面に転接したローラ３５が切換え部材４２の一側面に形成された凹部６５に当接する。
【００５９】
それによって、切換え部材４２は、ローラ３５と、係合軸６４に端部を係合させた保持部材６２とによって挟持固定されるから、連動部材３６は保持部材６２を介して第２の保持リンク５７に一体的に保持されることになる。そのため、上記連動部材３６が第２の脚床部２２とともに回動するのが図７（Ａ），（Ｂ）の状態に比べてより一層、確実に阻止される。
【００６０】
つまり、第３の局床部２３を第２の脚床部２２に対して下方に屈曲させた状態において、第２の脚床部２２の第３の脚床部２３との連結端側の端部上面に図７（Ａ）に矢印Ｗで示す荷重が加わっても、この第２の脚床部２２が第１の脚床部２１に対して下方へ屈曲するのが阻止されることになる。
【００６１】
その結果、図８に示すように、第２の脚床部２２と第３の脚床部２３との連結部が屈曲し、第２の脚床部２２と第１の脚床部２１とが屈曲せずに平面状の状態を確実に維持することができる。
【００６２】
身長の低い利用者が床板体１７の上面に仰臥したときに、その利用者の膝の裏側の部分が第１の脚床部２１と第２の脚床部２２との連結部分の上方に位置することがある。そのような場合には、第１の脚床部２１と第２の脚床部２２との連結部分を山形状に屈曲させるようにする。
【００６３】
すなわち、図５に矢印で示すように、操作部材４７に設けられた操作棒５２によってこの操作部材４７を図５に矢印で示す反時計方向に回動させる。それによって、切換え部材４２に設けられたガイド軸４９が上記操作部材４７に形成されたガイド溝４８の直線部４８ａに沿って上昇し、上端の屈曲部４８ｂに係合し、その係合状態が操作部材４７を弾性的に付勢したばね５１によって弾性的に保持される。
【００６４】
上記ガイド軸４９がガイド溝４８に沿って移動すると、その移動に連動して切換え部材４２が回動する。そして、ガイド軸４９がガイド溝４８の屈曲部４８ｂに係合すると、図９（Ａ）に示すように、上記切換え部材４２に設けられた係合部４４が端部材３８の下面の一端部に当接したローラ３５に係合し、その係合状態が維持される。
【００６５】
このように、切換え部材４２の係合部４４を、ローラ３５に係合させた状態で、図９（Ｂ）、（Ｃ）に示すように脚上げアーム３４を起上方向に回動させると、上記ローラ３５が端部材３８の下面を転動することなく、この端部材３８を介して第２の脚床部２２を押し上げる。
【００６６】
上記ローラ３５が端部材３８の下面を転動することなく、脚上げアーム３４が起立方向に回動すると、連動部材３６の端部材３８は脚上げアーム３４の起上によってローラ３５を介して上方へ押し上げられるとともに、係合部４４とローラ３５との係合によって脚上げアーム３４の起上方向（回動方向）の力を受ける。アーム３４の起上方向の力は、水平方向の分力と垂直方向の分力との合成力である。
【００６７】
それによって、図９（Ｃ）及び図１０に示すように、連動部材３６によって第１の脚床部２１と第２の脚床部２２との連結部分が屈曲させられるから、床板体１７上に仰臥した利用者の脚部を無理なく屈曲させることが可能となる。
【００６８】
図８と図１０は第１乃至第３の脚床部２１〜２３を起上させ、背床部２０を起上させない状態を示しているが、各床部を起伏駆動する起伏用駆動機構２５は、第１の駆動軸２８と第２の駆動軸２９とを選択的に回転駆動させることができる。そのため、第１の駆動軸２８と第２の駆動軸２９とを同時に駆動すれば、第１乃至第３の脚床部２１〜２３とともに背床部２０も起上させることができるから、利用者は上半身を起こしながら脚部を屈曲させることができる。
【００６９】
このように、連動部材３６に設けられた連結軸４６の中途部、つまりベッドフレーム５の幅方向中央部に操作部材４７を設け、この操作部材４７の回動操作に切換え部材４２を連動させ、この切換え部材４２に設けられた係合部４４を、脚上げアーム３４の先端に設けられ上記連動部材３６の端部材３８の下面に転接したローラ３５に係脱させるようにした。
【００７０】
つまり、上記ローラ３５が上記端部材３８の下面に沿って転動可能な状態或いは転動不能な状態とすることで、脚上げアーム３４によって第１乃至第３の脚床部２１〜２３を起上させたときの、これら脚床部が山形状に屈曲する位置を変えることができるようにした。
【００７１】
そのため、ベッドフレーム５の幅方向中央部に設けられた１つの操作部材４７を回動操作するだけで、起伏駆動機構２５によって起上される第１乃至第３の脚床部２１〜２３の屈曲位置を変えることができるから、その切換え操作を容易に、しかも確実に行うことが可能となる。
【００７２】
なお、上記操作部材４７は連結軸４６の中途部でなく、一端部に設けるようにしてもよい。
【００７３】
上記連動部材３６は、第１、第２の保持リンク５５，５７を介して起伏用駆動機構２５の第２の駆動軸２９に保持されている。そのため、ベッドフレーム５から床板体１７を取外しても、上記連動部材３６がベッドフレーム５に保持されているから、連動部材３６の取り扱いが容易となる。
【００７４】
上記一実施の形態では、脚上げアームの先端部にローラを設け、このローラを連動部材の下面に転動させるようにしたが、脚上げアームの先端部に、この脚上げアームの板面と直交する方向にピン等の軸状部材を設ける一方、連動部材の端部材の側壁に、上記軸状部材が移動可能に係合する長孔を形成する。そして、上記軸状部材を長孔に係合させることで、脚上げアームの起伏に応じて軸状部材を長孔に沿って移動させるようにしてもよい。
【００７５】
また、脚上げアームの先端部に滑沢性を有する樹脂製部材を設け、この樹脂製部材を連動部材の下面に移動可能に当接させてもよく、さらに脚上げアームの先端部を連動部材の下面に直接、移動可能に当接させるようにしてもよい。つまり、脚上げアームの先端部は、ローラによらず、他の手段によって連動部材の下面に移動可能に当接させても差し支えない。
【００７６】
【発明の効果】
以上のようにこの発明によれば、操作部材を操作して切換え部材を回動させ、この切換え部材に設けられた係合部を、連動部材に沿って転動可能な脚上げアームの先端部に係脱させることができるようにした。
【００７７】
そのため、上記係合部と脚上げアームの先端部との係脱によって床板体の屈曲位置を変えることができるため、その切換え操作を容易に、しかも確実に行うことが可能となる。
【図面の簡単な説明】
【図１】この発明の一実施の形態に係る起床式ベッド装置の側面図。
【図２】脚上げアームによって駆動される連動部材の部分を示す斜視図。
【図３】第２の駆動軸の端部を示す斜視図。
【図４】ベッドフレームの幅方向一端部を示す平面図。
【図５】第１乃至第３の脚床部及びこれら脚床部の下面側に設けられた連動部材を示す側面図。
【図６】床板体を示す平面図。
【図７】第３の脚床部を第２の脚床部に対して山形状に屈曲させるときの動作を示す説明図。
【図８】第３の脚床部を第２の脚床部に対して山形状に屈曲させた状態を示す床板体の側面図。
【図９】第２の脚床部を第１の脚床部に対して山形状に屈曲させるときの動作を示す説明図。
【図１０】第２の脚床部を第１の脚床部に対して山形状に屈曲させた状態を示す床板体の側面図。
【符号の説明】
５…ベッドフレーム
１７…床板体
１８…固定床部
２１…第１の脚床部
２２…第２の脚床部
２３…第３の脚床部
２５…起伏用駆動機構
２９…第２の駆動軸
３４…脚上げアーム
３５…ローラ
３６…連動部材
４２…切換え部材
４７…操作部材
【図１】
0004057343.tif 000002
【図２】
0004057343.tif 000003
【図３】
0004057343.tif 000004
【図４】
0004057343.tif 000005
【図５】
0004057343.tif 000006
【図６】
0004057343.tif 000007
【図７】
0004057343.tif 000008
【図８】
0004057343.tif 000009
【図９】
0004057343.tif 000010
【図１０】
0004057343.tif 000011